(57)【要約】  可変断面形状を有する廃棄物を処理するためのカセット（２０）を提供する。断面形状は、第１の場所での第１の最大高さ（Ｈｍａｘ１）が、第２の異なる場所での第２の最大高さ（Ｈｍａｘ２）とは異なり、かつ第１の場所での第１の最大幅（Ｗｍａｘ１）が、第２の場所での第２の最大幅（Ｗｍａｘ２）とは異なるようにカセットの周囲の周りの少なくとも２つの場所で変化する。【選択図】図３
2019503318.tif 000002
【特許請求の範囲】
【請求項１】
廃棄物処理デバイスのためのフィルム分注カセットであって、
中央通路と、
ライナーフィルムの供給を閉じ込めるためのライナー空洞であって、前記中央通路の周りを延び、少なくとも２つの異なる点でカセットの周囲の周りで変化する断面形状を有する前記ライナー空洞と、
を含むことを特徴とするカセット。
【請求項２】
断面形状を有するカセットの前記周囲に沿った第１の位置での面積が、第２の断面形状を有するカセットの該周囲に沿った第２の位置にほぼ等しく、第１の断面形状は、該第２の断面形状とは異なることを特徴とする請求項１に記載のカセット。
【請求項３】
前記ライナー空洞を構成する底部空洞壁を更に含むことを特徴とする請求項１に記載のカセット。
【請求項４】
前記カセットは、上部パネルを更に含むことを特徴とする請求項１に記載のカセット。
【請求項５】
前記上部パネルは、内側空洞壁の近く、該上部パネルの中間部分内、又はその組合せのいずれかに位置付けられた引裂ストリップを有することを特徴とする請求項４に記載のカセット。
【請求項６】
前記上部パネルは、リブ又は突起を含むことを特徴とする請求項４に記載のカセット。
【請求項７】
内側空洞壁が、ほぼ弓形であることを特徴とする請求項１に記載のカセット。
【請求項８】
外側空洞壁が、ほぼ弓形であることを特徴とする請求項１に記載のカセット。
【請求項９】
前方領域、後方領域、第１の側部領域、及び第２の側部領域を更に含み、
前記前方領域は、前方領域最大高さ及び前方領域最大幅を有し、
前記後方領域は、後方領域最大高さ及び後方領域最大幅を有し、
前記第１の側部領域は、第１側部最大高さ及び第１側部領域最大幅を有し、
前記第２の側部領域は、第２側部最大高さ及び第２側部領域最大幅を有する、
ことを特徴とする請求項１に記載のカセット。
【請求項１０】
前記第１側部最大高さは、前方側部最大高さよりも高いか又はそれに等しいことを特徴とする請求項９に記載のカセット。
【請求項１１】
前記第１側部最大高さは、後方側部最大高さよりも高いか又はそれに等しいことを特徴とする請求項９に記載のカセット。
【請求項１２】
前記第１側部最大幅は、前方側部最大幅よりも狭いか又はそれに等しいことを特徴とする請求項９に記載のカセット。
【請求項１３】
前記第１側部最大幅は、後方側部最大幅よりも狭いことを特徴とする請求項９に記載のカセット。
【請求項１４】
前記第２側部最大高さは、前記第１側部最大高さにほぼ等しいことを特徴とする請求項９に記載のカセット。
【請求項１５】
カセットが、第１側部前方四分円、第２側部前方扇形、第１側部後方扇形、及び第２側部後方扇形を含み、
前記第１側部前方扇形は、第１扇形最大高さ及び第１扇形最大幅を有し、
前記第２側部前方扇形は、第２扇形最大高さ及び第２扇形最大幅を有し、
前記第１側部後方扇形は、第３扇形最大高さ及び第３扇形最大幅を有し、
前記第２側部後方扇形は、第４扇形最大高さ及び第４扇形最大幅を有する、
ことを特徴とする請求項１に記載のカセット。
【請求項１６】
前記第１扇形最大高さは、前記第３扇形最大高さよりも低いか又はそれに等しいことを特徴とする請求項１５に記載のカセット。
【請求項１７】
前記第２扇形最大幅は、前記第４扇形最大幅よりも狭いか又はそれに等しいことを特徴とする請求項１５に記載のカセット。
【請求項１８】
廃棄物処理デバイスのためのカセットであって、
廃棄物を受け入れるためのある長さのライナーフィルムと、
少なくとも３つのスプラインによって構成され、かつそれを通して前記長さのライナーフィルムを受け入れるように位置決めされた中央通路であって、該中央通路が、前方領域及び後方領域を有し、該中央通路が、深さ方向軸線にほぼ垂直である幅方向軸線を有し、該幅方向軸線及び該深さ方向軸線が、該中央通路の中間点で交差する前記中央通路と、
を含み、
前記中央通路は、最大幅方向寸法と該最大幅方向寸法にほぼ垂直である最大深さ方向寸法とを有し、
前記最大幅方向寸法は、前記最大深さ方向寸法よりも小さく、
前記最大幅方向寸法は、前記幅方向軸線及び前記前方領域上又はその間に位置決めされ、
前記最大深さ方向寸法は、前記深さ方向軸線に沿って位置決めされる、
ことを特徴とするカセット。
【請求項１９】
使用前に前記長さのライナーフィルムを少なくとも部分的に閉じ込めるライナー空洞を前記中央通路の外部に更に含むことを特徴とする請求項１８に記載のカセット。
【請求項２０】
前記中央通路は、弓形形状、四辺形形状、多角形形状、又はその組合せを有することを特徴とする請求項１８に記載のカセット。
【請求項２１】
廃棄物処理デバイスのためのフィルム分注カセットであって、
中央通路と、
ライナーフィルムの供給を閉じ込めるためのライナー空洞であって、前記中央通路の周りを延び、少なくとも２つの異なる点でカセットの周囲の周りで変化する断面形状を有する前記ライナー空洞と、
を含むことを特徴とするカセット。
【請求項２２】
断面形状を有するカセットの前記周囲に沿った第１の位置での面積が、第２の断面形状を有するカセットの該周囲に沿った第２の位置にほぼ等しく、第１の断面形状は、該第２の断面形状とは異なることを特徴とする請求項２１に記載のカセット。
【請求項２３】
前記ライナー空洞を構成する底部空洞壁を更に含むことを特徴とする請求項２１から請求項２２のいずれか１項に記載のカセット。
【請求項２４】
前記カセットは、上部パネルを更に含むことを特徴とする請求項２１から請求項２３のいずれか１項に記載のカセット。
【請求項２５】
前記上部パネルは、内側空洞壁の近く、該上部パネルの中間部分内、又はその組合せのいずれかに位置付けられた引裂ストリップを有することを特徴とする請求項２１から請求項２４のいずれか１項に記載のカセット。
【請求項２６】
前記上部パネルは、リブ又は突起を含むことを特徴とする請求項２１から請求項２５のいずれか１項に記載のカセット。
【請求項２７】
内側空洞壁が、ほぼ弓形であることを特徴とする請求項２１から請求項２６のいずれか１項に記載のカセット。
【請求項２８】
外側空洞壁が、ほぼ弓形であることを特徴とする請求項２１から請求項２７のいずれか１項に記載のカセット。
【請求項２９】
前方領域、後方領域、第１の側部領域、及び第２の側部領域を更に含み、
前記前方領域は、前方領域最大高さ及び前方領域最大幅を有し、
前記後方領域は、後方領域最大高さ及び後方領域最大幅を有し、
前記第１の側部領域は、第１側部最大高さ及び第１側部領域最大幅を有し、
前記第２の側部領域は、第２側部最大高さ及び第２側部領域最大幅を有する、
ことを特徴とする請求項２１から請求項２８のいずれか１項に記載のカセット。
【請求項３０】
前記第１側部最大高さは、前方側部最大高さよりも高いか又はそれに等しいことを特徴とする請求項２１から請求項２９のいずれか１項に記載のカセット。
【請求項３１】
前記第１側部最大高さは、後方側部最大高さよりも高いか又はそれに等しいことを特徴とする請求項２１から請求項３０のいずれか１項に記載のカセット。
【請求項３２】
前記第１側部最大幅は、前方側部最大幅よりも狭いか又はそれに等しいことを特徴とする請求項２１から請求項３１のいずれか１項に記載のカセット。
【請求項３３】
前記第１側部最大幅は、後方側部最大幅よりも狭いことを特徴とする請求項２１から請求項３２のいずれか１項に記載のカセット。
【請求項３４】
前記第２側部最大高さは、前記第１側部最大高さにほぼ等しいことを特徴とする請求項２１から請求項３３のいずれか１項に記載のカセット。
【請求項３５】
カセットが、第１側部前方四分円、第２側部前方扇形、第１側部後方扇形、及び第２側部後方扇形を含み、
前記第１側部前方扇形は、第１扇形最大高さ及び第１扇形最大幅を有し、
前記第２側部前方扇形は、第２扇形最大高さ及び第２扇形最大幅を有し、
前記第１側部後方扇形は、第３扇形最大高さ及び第３扇形最大幅を有し、
前記第２側部後方扇形は、第４扇形最大高さ及び第４扇形最大幅を有する、
ことを特徴とする請求項２１から請求項３４のいずれか１項に記載のカセット。
【請求項３６】
前記第１扇形最大高さは、前記第３扇形最大高さよりも低いか又はそれに等しいことを特徴とする請求項２１から請求項３５のいずれか１項に記載のカセット。
【請求項３７】
前記第２扇形最大幅は、前記第４扇形最大幅よりも狭いか又はそれに等しいことを特徴とする請求項２１から請求項３６のいずれか１項に記載のカセット。
【請求項３８】
前記中央通路は、少なくとも３つのスプラインによって構成され、かつそれを通して前記長さのライナーフィルムを受け入れるように位置付けられ、該中央通路は、前方領域及び後方領域を有し、該中央通路は、深さ方向軸線にほぼ垂直である幅方向軸線を有し、該幅方向軸線及び該深さ方向軸線は、該中央通路の中間点で交差し、
前記中央通路は、最大幅方向寸法と該最大幅方向寸法にほぼ垂直である最大深さ方向寸法とを有し、
前記最大幅方向寸法は、前記最大深さ方向寸法よりも小さく、
前記最大幅方向寸法は、前記幅方向軸線及び前記前方領域上又はその間に位置決めされ、
前記最大深さ方向寸法は、前記深さ方向軸線に沿って位置決めされる、
ことを特徴とする請求項２１から請求項３６のいずれか１項に記載のカセット。
【請求項３９】
前記中央通路は、弓形形状、四辺形形状、多角形形状、又はその組合せを有することを特徴とする請求項２１から請求項３８のいずれか１項に記載のカセット。
【発明の詳細な説明】
【技術分野】
【０００１】
〔関連出願への相互参照〕
この出願は、本明細書にその全体が組み込まれている２０１６年１月２８日出願の米国仮特許出願第６２／２８８，０６９号に対する優先権を主張するものである。
【０００２】
本発明の開示は、一般的に、使い捨て材料又は物体を管状可撓性プラスチックフィルム材料の中にパッケージ化するための装置に関し、特に、管状可撓性プラスチックフィルム材料を提供するためのカセットに関する。
【背景技術】
【０００３】
フィルム分注カセットを含む廃棄物処理デバイスは、おむつ及びごみのような悪臭廃棄物を捨てるのに一般的に使用される。そのような廃棄物処理デバイスでは、フィルム分注カセットは、ビンの開口部において支持され、かつ廃棄物処理デバイスのビンの内側空洞の中に突き出る管状フィルムを分注する。管状フィルムの自由端は、バッグ状構造を構成するように閉じることができる。多くの場合に、廃棄物処理デバイスは、バッグを完全に閉じる内部機構（例えば、締め付け、捩りなど）を含み、それによって内部機構の下のバッグ内の廃棄物を隔離し、かつバッグ内の匂いを捕捉する。
【先行技術文献】
【特許文献】
【０００４】
【特許文献１】米国特許第４，９３４，５２９号明細書
【特許文献２】米国特許第５，０５６，２９３号明細書
【発明の概要】
【課題を解決するための手段】
【０００５】
本発明の開示の態様によれば、廃棄物処理デバイスのためのフィルム分注カセットが提供される。カセットは、可変の形状を有する。カセットは、ライナーフィルムが廃棄物を収集して保持するようにそれを通して配置された中央開口部を構成する内側空洞縁部を有する。カセットは、カセットの外周を構成する外側空洞縁部を有する。内側空洞縁部は、内側空洞壁も構成する。外側空洞縁部は、外側空洞壁も構成する。内側空洞壁及び外側空洞壁は、底壁及び／又は上部パネルによって接合され、それによってライナー空洞を形成する。底壁は、内側縁部及び外側縁部を有する。上部パネルは、内側縁部及び外側縁部を有する。ある一定の実施形態では、いずれの壁又はパネルの内側縁部も、いずれかの隣接する壁又はパネルの内側縁部に一致するか又はそれに対して近位であり、それによってライナー空洞の一部分を形成し、同様のことは、そのような壁及び／又はパネルの外側縁部に対しても該当する。
【０００６】
或る実施形態では、カセットは、ライナー空洞の各部分のみ、例えば、外側又は内側空洞壁、底壁、又は上部パネルのみを有する。これらの実施形態では、壁、パネル、面、又はそのような壁、パネル、又は面を構成する縁部は、カセットの外周又は内周に沿った少なくとも２つの場所で変わる場合がある。任意的に、これらの実施形態は、ライナーフィルムの第１の端部でそのような壁又はパネルに取り付けられたライナーフィルムを有し、ライナーフィルムの第２の端部は、バッグ状構造を形成するために閉じられ、閉鎖可能であり、密封され、密封可能である。そのようなバッグは、拡張ストレージ特性を提供するためにひだ又は折畳みを有することができる。そのような実施形態では、内壁、外壁、面、底壁、及び／又は上部パネルは、その高さが壁又は面に沿って可変であり、又はその幅が壁、パネル、又は面に沿って可変であり、又は高さ及び幅の両方が可変であるように可変形状を有することができる。
【０００７】
フィルム分注カセットは、中央通路を有し、それを通してフィルムは、フィルム内に受け入れられた廃棄物と処理デバイスの本体との間を延びて障壁を生成する。ライナーフィルムは、使用の前及び使用中に、カセットのライナー空洞内に少なくとも部分的に閉じ込められる。ライナーフィルムは、ライナーフィルムが消耗されてカセットを取り替えることが必要になるまでライナー空洞内に少なくとも部分的に閉じ込められる。ライナー空洞は、少なくとも２つの異なる点でカセットの周囲の周りで変化する断面形状を有する。
【０００８】
ライナー空洞は、例えば、カセットの周囲に沿った第１の場所を有し、断面形状は、第２の断面形状を有するカセットの周囲に沿った第２の場所にほぼ等しい。第１の断面形状は、第２の断面形状とは異なる。
【０００９】
更に別の実施形態では、カセットは、内側空洞壁にほぼ対向してライナー空洞の外周を構成する外側空洞壁を有する。更に別の実施形態では、カセットは、外側空洞壁及び内側空洞壁を少なくとも部分的に接続する底部空洞壁を含んでいる。更に他の実施形態では、カセットは、ライナー空洞内のライナーフィルムの少なくとも部分閉じ込め（ライナーフィルムが消耗されるまで使用前及び使用中の）を支援する上部パネルを有する。一部のそのような実施形態では、上部パネルは、ほぼ均一な空洞開口部が設けられ、かつカセットの周囲に沿ってあらゆる与えられた位置でそのような位置での最大高さ及び／又は幅が同じ又は異なるか否かに関わらずライナーフィルムのほぼ一貫した分注を可能にするような大きさにされる。
【００１０】
或る実施形態では、カセットの形状は、棚又はテーブルのような平坦面上に静止したときにカセットが均衡を保って揺動しないように安定であるようなものである。更に、２以上のカセットが互いに積み重ねられたときに、各カセットの上部は、互いとの相対位置を維持するように別のカセットの底部と形状的に嵌合するように設計される。
【００１１】
本発明の開示は、態様によって含むことができる要素又は特徴を含む態様及びそれらの態様の実施形態に関して本明細書に説明する。識別する実施形態は、「発明を実施するための形態」に以下で本明細書に説明するように単独で又は他の識別する実施形態のいずれかとの組合せで本発明の態様によって含めることができる。本発明の特徴及び利点は、以下に提供して添付図面に例示するような本発明の詳細説明に照らして明らかになるであろう。
【図面の簡単な説明】
【００１２】
【図１】廃棄物処理デバイスの側面斜視図である。
【図２】開放位置まで回転させた蓋を示す廃棄物処理デバイスの前面斜視図である。
【図３】ライナーフィルムのセグメントがカセットのライナー空洞から中央通路を通じて引き出されたフィルム分注カセットの概略斜視図である。
【図４】フィルム分注カセット実施形態の概略上面図である。
【図５】フィルム分注カセット実施形態の概略側面図である。
【図６】フィルム分注カセット実施形態の概略上面図である。
【図６Ａ】断面６Ａ−６Ａでのライナー空洞断面を示す図６に示すカセットの概略断面図である。
【図６Ｂ】断面６Ｂ−６Ｂでのライナー空洞断面を示す図６に示すカセットの概略断面図である。
【図６Ｃ】断面６Ｃ−６Ｃでのライナー空洞断面を示す図６に示すカセットの概略断面図である。
【図６Ｄ】断面６Ｄ−６Ｄでのライナー空洞断面を示す図６に示すカセットの概略断面図である。
【図７】図６に示すカセット実施形態の概略側面図である。
【図８】フィルム分注カセット実施形態の概略上面図である。
【図８Ａ】断面８Ａ−８Ａでのライナー空洞断面を示す図８に示すカセットの概略断面図である。
【図８Ｂ】断面８Ｂ−８Ｂでのライナー空洞断面を示す図８に示すカセットの概略断面図である。
【図８Ｃ】断面８Ｃ−８Ｃでのライナー空洞断面を示す図８に示すカセットの概略断面図である。
【図８Ｄ】断面８Ｄ−８Ｄでのライナー空洞断面を示す図８に示すカセットの概略断面図である。
【図９】図８に示すカセット実施形態の概略側面図である。
【図１０】フィルム分注カセット実施形態の概略上面図である。
【図１０Ａ】断面１０Ａ−１０Ａでのライナー空洞断面を示す図１０に示すカセットの概略断面図である。
【図１０Ｂ】断面１０Ｂ−１０Ｂでのライナー空洞断面を示す図１０に示すカセットの概略断面図である。
【図１０Ｃ】断面１０Ｃ−１０Ｃでのライナー空洞断面を示す図１０に示すカセットの概略断面図である。
【図１０Ｄ】断面１０Ｄ−１０Ｄでのライナー空洞断面を示す図１０に示すカセットの概略断面図である。
【図１１】図１０に示すカセット実施形態の概略側面図である。
【図１２】カセット実施形態の概略斜視図である。
【図１３】カセット実施形態の概略斜視図である。
【図１４】カセット実施形態の概略斜視図である。
【図１４Ａ】１４Ａ−１４Ａでのライナー空洞断面を示す図１４に示すカセットの概略断面図である。
【図１５】円で覆われたカセット実施形態の概略断面図である。
【図１６】円で覆われたカセット実施形態の概略断面図である。
【発明を実施するための形態】
【００１３】
ここで図面を参照して、廃棄物処理デバイスに使用するためのフィルム分注カセット２０を提供する。廃棄物処理デバイス及びカセット２０は、あらゆるタイプの廃棄物品目を格納するために使用することができるが、おむつ、女性用衛生製品、成人用失禁製品、及びペット排泄物の処理に十分に適している。カセットは、少なくとも部分的にカセット内に格納されたフィルムを含み、フィルムは、バッグ状構造を形成するように構成可能である。カセット２０は、廃棄物が通過する中央通路４４を含んでいる。本発明のカセット２０は、様々な異なるタイプの廃棄物処理デバイスと共に使用してもよく、従って、いずれの特定のタイプの廃棄物処理デバイス２２にも限定されない。本発明のカセット２０の説明を容易にするために、本発明のカセット２０を使用することができる廃棄物処理デバイス２２の例示的かつ非限定的実施形態を以下に提供する。
【００１４】
廃棄物処理デバイス２２は、ハウジング２４、蓋２６、及び足踏みペダル２８を含んでいる。本明細書での説明を容易にするために、廃棄物処理デバイス２２は、Ｘ軸に沿って延びる幅、Ｙ軸に沿って延びる深さ、及びＺ軸に沿って延びる高さを有するとして本明細書で説明され、Ｘ、Ｙ、及びＺは、直交軸線である。ハウジング２４はまた、前面パネル３２と後面パネル３４の間を深さ方向に延びる２つの側面パネル３０Ａ、３０Ｂを有するとして説明することができる。ハウジング２４は、内側ストレージ領域２９へのアクセスを提供するドア３３を含むことができる。或る実施形態では、ハウジングはビン３３ａを有する。ビン３３ａは、ドア３３が開放される及び／又はハウジング２４から除去可能であるときにビン３３ａが除去可能であるようにドア３３に接続可能にすることができる。
【００１５】
足踏みペダル２８を押し下げることは、蓋２６を開放させるリンケージ（図示せず）を作動させ、廃棄物処理デバイス２２の内側ストレージ領域２９へのアクセスを提供する。一部の廃棄物処理デバイス２２では、足踏みペダル２８を押し下げることはまた、廃棄物処理デバイス２２内の機構（例えば、ライナー締め付けアセンブリ）をそれが内側ストレージ領域内に配置されたライナー内の廃棄物の堆積を妨げない「開放位置」に移動する。足踏みペダル２８が解除されると、蓋２６は、自動的に閉じ、機構はその通常の閉じた位置（例えば、「静止」状態）に戻る。閉鎖位置では、機構は、ライナーを締め付ける（又は他に閉じる）（例えば、匂い発散を軽減するために）。
【００１６】
一部の廃棄物処理デバイス２２は、蓋２６の下に垂直に配置されたハウジングの部分においてフィルム分注カセット２０の挿入又は取り外しを可能にするように構成される。図１及び２に示す例示的実施形態は、そのような構成を有する。他の廃棄物処理デバイス２２は、ハウジング２４の前面からのフィルム分注カセット２０の挿入又は取り外しを可能にするように構成してもよい。本発明のフィルム分注カセット２０の実施形態は、それらの構成のいずれにも使用することができ、上述のように、本発明のカセット２０は、いずれの特定の廃棄物処理デバイス２２内の使用にも限定されない。
【００１７】
図３〜５及び１３〜１４を参照すると、本発明のフィルム分注カセット２０は、中心点を直角方向に二等分する幅方向に延びる軸線３６（例えば、Ｘ軸線方向に延びる）及び深さ方向に延びる軸線３８（Ｙ軸線方向に延びる）を有するとして説明することができる。Ｘ−Ｙ平面では、カセット２０は、一方又は両方の軸線３６、３８に対して対称とすることができ、又は一方又は両方の軸線３６、３８に対して非対称とすることができる。カセット２０は、ライナーフィルム４２の供給を閉じ込めるためのライナー空洞４０及び中央通路４４を含む。ライナー空洞４０は、前方領域４６、後方領域４８、第１の側部領域５０、及び第２の側部領域５２を有するとして説明することができる。第１及び第２の側部領域５０、５２は、中央通路４４の両側で前方及び後方領域４６、４８の間を延びる。図４に示すように、軸線３６、３８は、カセット２０を４つのほぼ扇形に、すなわち、前方第１の側部領域３７、前方第２の側部領域３９、後方第１の側部領域４１、及び後方第２の側部領域４３に分ける。
【００１８】
ライナー空洞４０は、ライナーフィルム４２の供給を保持するように様々な構成を取ることができる。図３〜５及び１３〜１４に示す実施形態では、ライナー空洞４０は、内側空洞壁５４、底部空洞壁５６、及び外側空洞壁５８によって構成される。内側空洞壁５４は、外側空洞壁５８の半径方向内側にあり（例えば、内側空洞壁５４は、外側空洞壁５８よりも中央通路４４の中心の近くに配置される）、底部空洞壁５６は、内側空洞壁５４と外側空洞壁５８の間を延びて少なくとも部分的にそれらに接続する。内側空洞壁５４、底部空洞壁５６、及び外側空洞壁５８は、開口部のない壁構造を有すると図３〜５に示されているが、それらは、開口部のない壁構成に限定されず、例えば、内側空洞壁５４、底部空洞壁５６、及び外側空洞壁５８のうちの１又は２以上は、ライナーフィルム４２の供給を保持するのに十分なあらゆる構成を取ることができる。ライナー空洞４０は、連続単体構造（例えば、連続単体構造として形成された内側及び外側空洞壁５４、５８及び底部空洞壁５６）として形成することができ、又はそれらは、互いに接続された複数の部分とすることができる。
【００１９】
内側空洞壁５４、底部空洞壁５６、外側空洞壁５８は、ライナー空洞４０に開口チャネル形状を与えるように相対的に構成される。内側空洞壁５４及び外側空洞壁５８は、互いに平行とすることができ（例えば、Ｚ軸線方向に）、又はそれらは、互いに対して非平行とすることができ（例えば、ある角度で歪曲される）、又は２つの間の距離は、様々な点で異なる場合がある。底部空洞壁５６は、平面又は非平面（例えば、弓形）とすることができる。底部空洞壁５６は、内側及び外側空洞壁５４、５８に対して垂直に延びることができ、又はそれは、９０度以外の角度で歪曲させることができる。図３〜５に示す実施形態では、ライナー空洞４０の開口部６０は、内側空洞壁５４の上面縁部と外側空洞壁５８の上面縁部との間を延びる。図３〜５に示す実施形態では、内側空洞壁５４は、中央通路４４の形状を構成する。代替実施形態では、中央通路４４は、内側空洞壁５４以外の構造によって構成してもよい。
【００２０】
ライナー空洞４０の断面形状は、カセット２０の周囲の周りの断面の場所に応じて変化する。ライナー空洞４０（与えられた周囲位置での）の用語「断面形状」は、内側空洞壁５４及び外側空洞壁５８に対して垂直な断面平面の形状（例えば、Ｘ−Ｚ平面又はＹ−Ｚ平面などで延びる）と本明細書では定められる。ライナー空洞４０の断面形状を説明する目的のために、ライナー空洞４０の「高さ」は、ライナー空洞４０の開口部６０から底部空洞壁５６の内面までＺ軸線方向に延び、ライナー空洞４０の「幅」は、内側及び外側空洞壁５４、５８の内面間を延びる。本発明の開示によるライナー空洞４０は、少なくとも２つの異なる断面形状、例えば、第２の断面形状の最大高さ（Ｈｍａｘ２）とは異なる最大高さ（Ｈｍａｘ１）、及び第２の断面形状の最大幅（Ｗｍａｘ２）とは異なる最大幅（Ｗｍａｘ１）を有する第１の断面形状を含んでいる。Ｈｍａｘ３．．．ＨｍａｘＮ、及びＷｍａｘ３．．．ＷｍａｘＮのような更に別の様々な形状が提供される。別の言い方をすれば、前方領域４６内などのカセット２０の周囲に沿った第１の場所での最大高さは、図３に示すように、第１の側部領域５０内のカセット２０の周囲に沿った最大高さとは異なる場合がある。図４に例示的実施形態によって示すように、後方領域４８は、最大幅を有するように示されており、これは第２の側部領域５２内の最大幅とは異なる。
【００２１】
典型的には、ライナー空洞４０の断面積（すなわち、内側空洞壁５４に対して（すなわち、垂直スライス）及びライナー空洞４０内、すなわち、ＺＹ又はＺＸ平面内の外側空洞壁５８に対して垂直である断面平面の面積）は、カセット周囲の周りで実質的に一定のままであり、ライナー空洞４０がカセットの周囲で均一な容積のライナー４２を受け入れることを可能にする。
【００２２】
例えば、図６及び７に示すカセット２０実施形態は、ライナー空洞４０の周囲の周りで変化する断面形状を有するライナー空洞４０を有する。図６Ａ〜６Ｄは、図６に示すそれぞれの位置、すなわち、後方領域位置（図６Ａ）、前方領域位置（図６Ｂ）、第１の側部領域位置（図６Ｃ）、及び第２の側部領域位置（図６Ｄ）内のライナー空洞４０の概略断面である。図６Ａ〜６Ｄから認められるように、ライナー空洞４０は、後方領域位置に高さＨ１及び幅Ｗ１、第１の側部領域位置に高さＨ２及び幅Ｗ２、第２の側部領域位置に高さＨ３及び幅Ｗ３、及び前方領域位置に高さＨ４及び幅Ｗ４を有する。この実施形態では、ライナー空洞の側部領域位置での高さ及び幅は、互いに実質的に等しく（すなわち、Ｈ２＝Ｈ３及びＷ２＝Ｗ３）、後方領域位置でのライナー空洞４０の高さは、前方領域位置でのライナー空洞４０の高さよりも高く（すなわち、Ｈ１＞Ｈ４）、後方領域位置でのライナー空洞４０の幅は、前方領域位置でのライナー空洞４０の幅よりも小さい（すなわち、Ｗ１＜Ｗ４）。上述の周囲位置でのライナー空洞４０の断面積は、実質的に互いに等しい。図６Ａ〜６Ｄに示すこの実施形態の特定の構成では、後方領域４８及び各側部領域５０、５２の大部分内のライナー空洞４０の断面形状は、同じであり、前方領域４６内のライナー空洞４０の断面形状は、後方及び側部領域と２つの断面形状間の各側部領域移行部の一部分との断面形状とは異なる（例えば、図７を参照）。
【００２３】
代替構成では（図８、８Ａ〜８Ｄ、及び９を参照）、第１の側部領域５０、後方領域４８の一部分、及び前方領域４６の一部分のライナー空洞４０の断面形状は、同じでもよく（例えば、各々は幅Ｗ５及び高さＨ５を有する）、第２の側部領域５２の断面形状（例えば、幅Ｗ６及びＨ６）は、それらとは異なってもよい。この形態では、後方領域４８及び前方領域４６の一部分は、２つの断面形状の間で転移する。
【００２４】
別の代替構成では、ライナー空洞４０の断面形状は、第１及び第２の側部領域５０、５２において実質的に一定であり、かつ前方及び後方領域４６、４８において実質的に一定としてもよい。しかしながら、側部領域５０、５２内のライナー空洞４０の断面形状は、前方及び後方領域４６、４８の断面形状とは異なる（例えば、幅方向で狭い）。図１０、１０Ａ〜１０Ｄ、及び１１は、そのような形状を示し、前方及び後方領域４６、４８の断面形状は、高さＨ７及び幅Ｗ７を有し、第１及び第２のライナー空洞側部領域５０、５２の断面形状は、高さＨ８及び幅Ｈ８を有する。ライナー空洞前方及び後方領域４６、４８の高さは、ライナー空洞側部領域５０、５２の高さよりも低く（Ｈ７＜Ｈ８）、ライナー空洞前方及び後方領域４６、４８の幅は、ライナー空洞側部領域５０、５２の幅よりも大きい（Ｗ７＞Ｗ８）。このライナー空洞４０の構成は、与えられた中央通路４４の最大幅に対して周囲全体に均一な断面形状を有するライナー空洞４０を有するカセット２０に対して幅方向に狭いカセット２０の構成を可能にする。更に別のカセット２０実施形態は、逆の構成、例えば、側部領域５０、５２内のライナー空洞４０の断面形状が前方及び後方領域４６、４８の断面形状よりも幅方向に広いものを導入してもよい。このライナー空洞４０の構成は、与えられた中央通路４４に対して周囲全体に均一な断面形状を有するライナー空洞４０を有するカセット２０に対して幅方向に狭いカセット２０の構成を可能にする。
【００２５】
或る実施形態では、ライナー空洞４０は、内側上縁５４ａ、内側上縁５４ｂ、又は外側上縁５８ａ、又は外側下縁５８ｂ全体周りに均一な断面形状を有していない。そのような或る実施形態では、他方に対して５４ａ又は５４ｂによって構成されるような内周、又は５８ａ又は５８ｂによって構成されるような外周は、ライナー空洞４０の一部分に沿った更に狭い領域がその領域において高さが高くならずに達成されるように平行移動を受ける。そのような或る実施形態では、最大寸法（すなわち、幅方向及び／又は深さ方向の）は、本発明の開示によって明らかにされるように、カセット２０の領域において、廃棄物処理のために有利な構成を提供することを達成することができる。従って、平行移動は、シフトがＸＹ平面にあるようにＸ及び／又はＹ軸に対して行うことができる。
【００２６】
或る実施形態では、均衡を保った形状を有するカセット２０を提供する。本明細書に説明するように、「均衡を保った」とは、ほとんど又は全く揺動がない実質的に平坦面上に載ることができるカセット２０を指し、その結果、それはほぼ安定する（例えば、加わる力がない場合に静止位置にとどまる）。これらの実施形態は、複数のカセット２０の積み重ね、及び／又は出荷、及び／又は保管のためにカセット２０を構成する点から好まれる。或る実施形態では、カセット２０は、安定化手段として作用する実質的に平坦な底壁５６を有する少なくとも２つの部分を有する。そのような領域は、図９に示すようにプラトー５７と呼ばれる。例えば、図６〜７に例示するようなカセット２０は、実質的に等しいＨ１及びＨ２及び／又は実質的に等しいＨ３及びＨ４を有することができる。或る実施形態では、そのような高さが実質的に一定である領域（すなわち、プラトー５７）の長さは、領域５０及び／又は領域５２の長さの少なくとも約１０％に対してＨ２に実質的に等しいＨ１を有する最大深さ方向の長さの少なくとも１０％である。これに代えて、長さは、最大幅方向寸法に対応することができる。或る実施形態では、そのような高さが実質的に一定であるプラトー５７は、最大寸法（すなわち、幅方向に又は深さ方向に）の少なくとも１５％、少なくとも２０％、少なくとも２５％、少なくとも３０％、少なくとも５０％、又は少なくとも７５％である。
【００２７】
上述の実施形態では、上部パネル６０はまた、底壁５６に類似のプラトー５７を有してもよく、その結果、カセット２０は、積み重ねる時に均衡を保ち、及び／又は積み重ね構成で容易に位置合わせするようになる。
【００２８】
上述の実施形態の一部では、プラトー５７はまた、カセット２０を廃棄物処理デバイス２２の中に適正に向けるのを助けることができ、ここで廃棄物処理デバイス２２は、そのようなプラトー５７と嵌合するように適切に構成された受け入れ形状を有する。
【００２９】
例示的目的のための高さＨ７及びＨ８は、約４０ｍｍ〜約７０ｍｍの間で変化する。或る実施形態では、Ｈ７及びＨ８は、約３０ｍｍ〜約５０ｍｍである。Ｈ７対Ｈ８の比は、約．５〜約１．０である。
【００３０】
幅Ｗ７及びＷ８は、約１０ｍｍ〜約４０ｍｍの間で変化する。或る実施形態では、幅Ｗ７及びＷ８は、約２０ｍｍ〜約３５ｍｍである。Ｗ７対Ｗ８の比は、約．２５〜約１．０である。
【００３１】
或る実施形態では、Ｈ７対Ｈ８の比は、約０．８〜約１．０であり、Ｗ７対Ｗ８の比は、約０．８〜１．０である。Ｈ７対Ｗ７の比は、約１．０〜約７．０であり、Ｈ８対Ｗ８の比は、約１．０〜約７．０である。或る実施形態では、Ｈ７対Ｗ７の比は、約１．０〜約２．０であり、Ｈ８対Ｗ８の比は、約１．０〜約２．０である。或る実施形態では、Ｈ７対Ｗ７の比は、Ｈ８対Ｗ８の比よりも小さいか又は大きいことになる。
【００３２】
或る実施形態では、ライナー空洞４０の断面形状は、他の領域又は扇形３７、３９、４１、４３に対して、それぞれ第１及び第２の側部領域５０、５２のうちの１又は２以上と、前方及び後方領域４６、４８とにおいて非対称性とすることができる。領域４６、４８、５０、５２、又は扇形３７、３９、４１、４３の間の非対称性を利用して、廃棄物処理デバイス２２内に構造要素を受け入れることができる。例えば、一部の廃棄物処理デバイス２２実施形態は、デバイス２２内にカセット２０を固定するための構造を含むことができ、構造は、デバイスの片面上に配置される。本発明のカセット２０実施形態は、非対称に構成され、構造に対して間隙を提供し、依然としてデバイス２２内の望ましいカセット２０の向きを提供することができる。例えば、図１２は、例えば前方領域４６に対して非対称構成を有する後方領域（例えば、底部空洞壁５６が後方領域４８の残余の輪郭から逸脱する後方領域４８のセクション４９）を示している。このタイプのライナー空洞４０の構成（及びそれと同様の他のもの）では、ライナー空洞４０断面積（すなわち、内側空洞壁５４及びライナー空洞４０に存在する外側空洞壁５８に垂直な断面平面の面積）は、カセット周囲全体では実質的に一定でない場合があり、例えば、非対称部分内のライナー空洞４０の断面積は、カセット２０の周囲の周りの他の場所でライナー空洞４０の断面積よりも小さくすることができる。
【００３３】
図１５〜１６は、本発明の開示のカセット１０００及び例示的カセット２０のかつそれらを覆う上面図を提供している。図１５〜１６は、カセット２０の前方領域４６、後方領域４８、及び／又は側部領域５０、５２を構成するほぼ弓形形状を生成するように構成された１又は２以上のスプラインを有する実施形態を示している。例えば、４つのスプラインは、第１のスプライン４００及び第２のスプライン４０２がほぼ同じ形状であり、第３のスプライン４０４及び第４のスプライン４０６が、ほぼ同じ形状であるが、第１及び第２のスプライン４００、４０２の形状とは異なるように接続することができる。スプラインのこの例示的組合せは、深さ方向軸線９２０に対して対称性を提供する。或る実施形態では、カセット２０は、カセット２０の最大の幅方向寸法９１０がカセット２０の前方領域４６と例示的な公知の丸いカセット１０００の長さの中間点１０１２との間にあるように成形することができる（前方領域４６を構成するスプラインの構成により）。他の実施形態では、更に５つ、６つ、７つ、８つ、ｎなどの４よりも多いスプラインが存在して形状を更に強化することができる。代替実施形態では、１つのスプラインが別のスプラインに対応しないように３つのスプライン５００、５０２、５０４が存在する。
【００３４】
或る実施形態では、１又は２以上のスプラインは、前方領域４６と最大長手方向寸法４１２の中間点との間に最大幅方向寸法４１０、及び／又はカセット２０の深さ方向軸線に位置合わせした最大深さ方向寸法４１２を提供する。
【００３５】
中央通路４４の最大幅方向寸法は、１００ｍｍよりも大きいか又はそれに等しい。更に別の実施形態では、最大幅方向寸法は、約１００ｍｍ〜約１４０ｍｍである。更に別の実施形態では、最大幅方向寸法は、約１１０ｍｍよりも大きい。或る実施形態では、中央通路４４の最大幅方向寸法は、公知のカセット１０００の最大幅方向寸法よりも約１０％大きい。
【００３６】
更に別の実施形態では、スプラインは、中央通路の面積を最大にしておむつのような扱いにくく、大きく、及び／又は奇妙な形状の廃棄物又はスクープのような廃棄物処理装具の挿入の難しさを低減する。
【００３７】
例示的な図１５〜１６に示すように、カセット１０００は、例示的カセット２０よりも幅方向及び深さ方向により短い中央通路１００２の直径を有し、同様に、外壁１００４はより小さい直径を有する。カセット２０はまた、カセット２０の最大幅方向寸法９１２が前方領域４６の近くになり、従って、ユーザの腕／手が移動する距離を短縮して廃棄物を中央通路４４の中に堆積させるのを補助するように距離９１４だけカセット１０００の中間点１０１２の下に位置するその最大幅方向寸法９１０を有する。或る実施形態では、前方領域４６内にある最大幅方向寸法９１０の場所は、後方領域内のものよりも前方領域においてより狭いライナー空洞４０の寸法を可能にする可変断面に起因する。距離９１４は、少なくとも１０ｍｍであり、約７０ｍｍまでとすることができる。別の実施形態では、最大幅方向寸法９１０及び深さ方向軸線９２０の交差位置と中央通路４４の前方領域４６との間の距離９１６は、約２０ｍｍ〜約７０ｍｍである。更に別の実施形態では、距離９１６は、約５０ｍｍ〜約７０ｍｍである。或る実施形態では、距離９１６は、６０ｍｍ未満である。
【００３８】
最大幅方向寸法９１０の交差位置と深さ方向軸線９２０の間の距離９１８は、約５０ｍｍ〜約１４０ｍｍである。更に別の実施形態では、距離９１８は、約５０ｍｍ〜約９０ｍｍである。更に別の実施形態では、距離９１８は６０ｍｍよりも大きい。更に別の実施形態では、距離９１８は７０ｍｍよりも大きい。距離９１８は、最大深さ方向寸法の全長の５０％よりも大きいか又はそれに等しく、一方で距離９１６は、最大深さ方向寸法の全長の５０％よりも小さいか又はそれに等しい。
【００３９】
図１５〜１６はまた、より大きい廃棄物を堆積させることができるように、より長い深さ方向寸法を有するカセット２０を示している。最大深さ方向寸法は、大きい廃棄物を中央通路全体に提供する必要がないように、深さ方向軸線に沿って位置決めされ、それは、廃棄物を過度にピボット回転することなくペールの前側から真っ直ぐに堆積させることができる。或る実施形態では、最大深さ方向寸法は、廃棄物処理デバイス２２の前縁（又は前面パネル３２）の垂直二等分線である。
【００４０】
図１５は、カセット１０００のものよりも大きい前方部分面積を有する中央通路４４を示し、ここで前方部分は、最大幅方向寸法９１６まで延びる前方領域４６との間の中央通路４４の部分として構成される。これは、ライナーフィルム４２の一定の周囲が与えられるように最大幅方向寸法及び距離９１６の生成に対する中央通路４４の前方部分内の面積として説明することができる。方程式は、一般的に以下のように表される：
【００４１】
前方面積アスペクト比＝（前方部分面積）／（９１０*９１６）
【００４２】
前方面積アスペクト比は、約０．５〜約１．５である。
【００４３】
図１５は、後方部分面積に着目した本発明の開示のカセット２０による面積の再分配を示す第２のアスペクト比を示している。後方部分面積は、後方領域４８と中央通路４４の中間点１０１２を通って延びる幅方向軸線との間の中央通路４４の部分として構成される（すなわち、図１５のように、距離９１８−距離９１４に対応する）。これは、ライナーフィルム４２の一定の周囲が与えられるように中間点１０１２内の幅方向寸法及び距離９１８−距離９１４の生成に対する中央通路４４の後方部分内の面積の後方面積アスペクト比として説明することができる。後方面積アスペクト比＝（後方部分面積）／（１０１０*（９１８−９１４））
【００４４】
後方面積アスペクト比は、約０．３〜約２．０である。
【００４５】
前方面積アスペクト比対後方面積アスペクト比の更に別の比は、最大面積比と呼ばれる。最大面積比は、約０．２５〜約５である。一般的に、これは、中央通路４４の面積の相対分布を説明する。或る実施形態では、最大面積比は、約０．２５〜約１である。更に別の実施形態では、最大面積比は、約０．９未満である。他の実施形態では、最大面積比は、約１〜約５である。更に他の実施形態では、最大面積比は、約１．１よりも大きい。
【００４６】
しかし、中央通路４４の例示的実施形態を示す図１６はまた、外側空洞壁５８を同様に示すことができる。図１５〜１６の両方は、より大きい開口部空間が前方領域に位置決めされる及び／又はより大きい開口部空間が奇妙に成形された廃棄物を受け入れるように後方領域に位置決めされるように、カセット２０の表面積を再配置する本発明の開示の実施形態を示している。
【００４７】
上述のライナー空洞４０の構成は、カセット２０の周囲に沿って少なくとも２つの異なる点で変化する断面形状を有するライナー空洞４０の非限定的な例を表している。本発明の開示は、それらの例に限定されない。当業者は、円、卵形、弓形、波形、段差形、面取り形、三角形、ルーロー三角形、切頭円錐形、円錐形、他の多角形、及びそれらの組合せのような様々な形状的構成が本発明の開示内にある（垂直及び／又は水平断面の向きの両方において）ことを理解する。例えば、ほぼ三角形状断面では、Ｗｍａｘ１は、三角形の底辺を構成するパネルの幅を説明することができ、Ｈｍａｘ１は、対向する頂点まで延びる底辺の直角二等分線に相関させることができる。当業者は、この場合に三角形の面積が１／２*（Ｈｍａｘ１*Ｗｍａｘ１）になることを理解する。断面の一部分が例えばほぼ三角形であり、断面の一部分が例えば円であった場合に、ある一定の実施形態では、各々の断面積は、１／２*（Ｈｍａｘ１*Ｗｍａｘ１）≒ＩＩ（（Ｈｍａｘ２）／２）2）になるようにほぼ等しくなると考えられる。他の面積は、公知の数学的計算により及び／又は積分により計算することができる。
【００４８】
ライナー空洞４０の様々な断面形状は、上記で提供されたものに優るいくつかの利点を提供する。例えば、様々な断面形状は、廃棄物処理デバイス２２内でカセット２０の正確な向きをユーザが識別することを容易にし（例えば、少なくとも部分的非対称形状は、単一向きにのみ廃棄物処理デバイス２２の中に挿入することができる）、更に、均一な容積のライナー４２（すなわち、ｚ軸に沿ったあらゆる与えられた断面スライスが実質的に同じ断面積を有するような）が、ライナー空洞周囲全体のライナー空洞４０に配置されることを可能にする。カセットの周囲で実質的に一定の断面積を有する実施形態に関して、ライナー空洞周囲全体の周りの均一な容積のライナー４２は、廃棄物処理デバイス２２内で均一なライナー分注を容易にする。ライナー空洞４０の様々な断面形状はまた、カセットを廃棄物処理デバイス２２の中に設置してそこから取り外すのを容易にすることができ、例えば、より浅い前側部分を有するカセット２０は、廃棄物処理デバイス２２に対して回転させて純粋垂直軸線に沿って設置された／取り外されたカセット２０とは対照的に取り外しを容易にすることができる。上述のように、ライナー空洞４０の様々な断面形状はまた、廃棄物処理デバイス２２内の構造要素の非対称な位置決めを受け入れることができる。様々な断面形状は、カセット２０が非対称カセット「シート」内に「着座し」、依然としてデバイス２２内に望ましいカセット２０の向きを提供することを可能にする。
【００４９】
ライナーフィルム４２は、ある長さを延びる閉じた周囲構成で形成されたフィルムである。閉じた周囲構成は、ライナー材料が長手方向に延びる連続周囲を有するようなものであり、例えば、構成は、「管状」として説明することができる。ライナーフィルム４２の断面構成（すなわち、断面周囲形状）は、特定の構成に応じて異なる場合がある。ライナーフィルム４２は、以下に説明するように、ライナー空洞４２内に格納することができ、ライナー空洞４０から容易に引き出すことができ、かつ閉じた構成（例えば、結ばれた）に形成することができる可撓性材料から構成される。可撓性プラスチックフィルムは、満足できるライナーフィルム４２の例である。ライナーフィルム４２は、ポリエチレン、ポリプロピレン、ポリエステル、ＥＶＡ、ＥＶＯＨ、ナイロン、タイレジンのうちの１又は２以上の層を含むことができ、炭素、炭酸カルシウム、タルク、二酸化チタン、及びスリップ剤のような添加剤を更に含むことができる。ライナーフィルム６０の実施形態は、匂い吸着器並びに匂い吸収器などを含む香料のような匂いを隠して匂いを軽減する薬剤を含むことができる。
【００５０】
ライナーフィルム４２は、ライナーの区分的部分をライナー空洞４０から引き出すことを可能にする向きでライナー空洞４０内に格納される。カセット２０は、ライナーフィルム４２をライナー空洞開口部６０においてカセット周囲に配置された開口部を通じてライナー空洞４０から引き出すことができるように構成され、例えば、図３に図式的に示すカセット２０は、ライナー空洞開口部６０を実質的に覆う上部パネル６２を含み、ライナーフィルム４２がライナー空洞４０から引き出される開口部９０を生成する。本発明のカセット２０は、いずれの特定のライナー経路構成にも限定されず、ライナーフィルム４２は、これに代えて、ライナー空洞４０の底部空洞壁、内側空洞壁５４、又は外側空洞壁５８を通じてライナー空洞４０から引き出すことができる。本発明のカセット２０はまた、ライナーフィルム４２をユーザによる必要性に応じてライナー空洞４０から容易に引き出すことができるならば、ライナー空洞４０内にライナーフィルム４２を配置するためのいずれの特定の方式にも限定されない（例えば、折り畳む、ひだをつける、その他）。
【００５１】
或る実施形態では、カセット２０は、上部パネル６２を含み、ライナーフィルム４２が消耗されるまで使用前及び使用中にライナー空洞４０内のライナーフィルム４２の閉じ込めを支援する。上部パネル６２はまた、ライナーフィルム４２の分注を制御するのを支援する。カセット２０の周囲で最大幅が変化する本発明の開示の実施形態では、上部パネル６２はまた、カセット２０の周囲の周りのあらゆる与えられた点でほぼ同じ幅を有する空洞開口部６０を提供するように変化する場合がある。上部パネル６２は、リビングヒンジを通じてカセット２０と一体化することができ、及び／又は超音波溶接、熱、接着剤を通じてカセットに接続されるか又はスナップ留め、戻り止め、圧入、その他で機械的に取り付けることができる。
【００５２】
引用によって本明細書に組み込まれているＴａｎｎｏｃｋへの米国特許第４，９３４，５２９号明細書、及びＲｉｃｈａｒｄｓ他への米国特許第５，０５６，２９３号明細書は、カセットの中にライナーフィルムを装填する方法を説明している。ライナー空洞４０の中にライナーフィルム４２を装填することは、マンドレルの上でライナーフィルム４２がマンドレルの外方で静止するようにライナーフィルム４２を移動することを必要とする。マンドレルは、ライナーフィルム４２の直径よりも小さくなるような大きさにされるが、ライナーフィルム４２が過度の抵抗なしにマンドレルの長さに沿って移動することができるような（処理パラメータ及び力学に従って）大きさにされる。マンドレルは、ライナーフィルム４２をライナー空洞４０の中に位置付けることができるようにライナーフィルム４２がカセット２０の開放端の方向にマンドレルの長さに沿って移動するように、カセット２０の内側空洞壁５４と類似の大きさに成形される（すなわち、内側空洞壁５４の近く及び／又は隣接するマンドレルのＸＹ平面内で水平スライスを取る）。ライナーフィルム４２の周囲長さは、内側空洞壁５４の周囲長さよりも僅かに大きく、ライナーフィルム４２の周囲長さは、外側空洞壁５８の周囲長さよりも僅かに小さい。ライナーフィルム４２の適切な長さがライナー空洞の中に受け入れられた後に、上部パネル６２は、空洞開口部６０の上に配置されて少なくとも部分的にライナーフィルム４２をライナー空洞４０に閉じ込める。
【００５３】
上部パネル６２は、それが引きはがしタブ、ラベル、ステッカー、穿孔又は引裂ストリップのような脆弱又は引きはがし可能であるような除去部分６６を任意的に含むことができる。除去部分６６は、除去部分が空洞開口部を露出するように取り外されるまでライナー空洞４０の内側に配置されたライナーフィルムを閉じ込める。ある一定の実施形態では、脆弱部分６６は、外周に隣接して（すなわち、外側空洞壁５８の近くに）位置付けられる。他の実施形態では、脆弱部分６６は、内周に隣接して（すなわち、内側空洞壁５４及び／又は中央通路４４の近くに）位置付けられる。更に他の実施形態では、穿孔（又は引裂ストリップ）６６は、上部パネル６２、底部空洞壁５６、外側空洞壁５８、又は内側空洞壁５４の中間点に向けて位置付けられる。
【００５４】
ライナーフィルム４２がライナー空洞４０の中に位置付けられると、ライナーフィルム４２は、ライナー空洞４２から外方にゆっくり移動する場合があり、上部パネル６２がカセット２０の上に配置されて接続されたときに問題を呈する場合がある（すなわち、ライナーフィルム４２は、上部パネル６２がカセット２０に接続された時に点で締めつけられる可能性がある）。品質問題を最小にするために、組立工程は、ライナーフィルム４２をそれが装填されているときにライナー空洞４０の中に押し下げるのを補助するピン（又はフィンガ）に設けることができる。或る実施形態では、上部パネル６２は、上部パネル６２がピンに沿って通過して最終的にピンを取り外す前にカセット２０に接続するように（すなわち、ライナーフィルム４２が上部パネル６２とカセット２０の間の接続点から離れた位置に押し下げられて締めつけを防止するように）、そのようなピンを受け入れるような大きさにされた開口を有する。代替実施形態では、ピン又はフィンガは、上部パネル６２の周り（すなわち、上及び／又は下）に適合するか又は薄いプロファイルを有して上部パネル内の開口を回避するように設計することができる。図１３に示す例示的実施形態では、蓋２６が、ピン又はフィンガが波形の蓋２６の少なくとも１つの凹面部分２１と局所的に嵌合することができるような波形を有する。或る実施形態では、蓋２６は、少なくとも２つの凹面部分２１を有する。一部のそのような実施形態では、ピン又はフィンガは、上部パネル６２に開口を必要とする専ら直線垂直運動とは対照的に、側面アクション（すなわち、横方向又は回転運動）を有する。図１５に例示するような更に他の実施形態では、上部パネル６２の底面６５（すなわち、ライナー空洞４０に面してライナーフィルム４２に接触する面）は、リブ又は突起６８を有し、ライナーフィルム４２をライナー空洞４０の中に、かつ上部パネル６２とカセット２０の間の接続点から離れて下方に押すのを支援することができる。
【００５５】
本発明のカセット２０は、必要に応じて廃棄物処理デバイス２２から取り外して取り替えることができる。例えば、図１及び２に示す廃棄物処理デバイス２２の実施形態では、カセット２０は、例えば、蓋２６を開いて空のカセット２０をハウジング２４から取り外し（必要に応じて）、未使用カセット２０をハウジング２４の中に配置することによって取り替えることができる。次に、ユーザは、ある長さのライナーフィルム４２をライナー空洞４０から引き抜き、中央通路４４を通じて内側ストレージ領域２９の中にそれを給送し、その結果、ライナーフィルム４２の自由端は、ビン３３ａの下端の近くに配置されるようになる。次に、ユーザは、ライナーフィルム４２の自由端を閉じてライナーフィルムの「バッグ」を形成し（例えば、ライナーフィルム４２を自由端に隣接する結び目の中に結ぶことにより）、ビン３３ａを閉じる。この構成では、廃棄物処理デバイス２２（及び具体的にはライナーフィルム４２）は、以下に限定されないが、使い捨ておむつ、おむつ、トレーニングパンツ、女性用衛生製品、及び失禁用製品のような廃棄物を受け入れる状態になっている。重力が、ライナーフィルムのバッグの中に堆積したどの廃棄物をもライナーフィルムのバッグの閉じた自由端の方向に押圧する。ライナーフィルムのバッグが廃棄物で溢れる時に、ライナーフィルム４２の上端は、ライナーフィルム４２の供給から分離され（例えば、格納された廃棄物の上の点でライナーフィルム４２を切断することにより）、バッグは廃棄物処理デバイス２２から取り外される。次に、分離したばかりのライナーフィルム４２の端部を閉じて（例えば、結び目又はファスナにより）バッグを廃棄することができる。次に、工程が繰り返され、例えば、ユーザは、ライナー空洞４０から別の長さのライナーフィルム４２を引き抜き、カセットの中央通路４４を通じてそれをビン３３ａの中に引き込む。次に、ユーザは、ライナー材料の自由端を閉じて新しいライナーフィルムのバッグを形成する。
【００５６】
本発明は、例示的実施形態を参照して説明したが、本発明の範囲から逸脱することなく様々な変更を行うことができ、本発明の要素を均等物で置換することができることは当業者によって理解されるであろう。これに加えて、本発明の教示に対してその本質的な範囲から逸脱することなく特定の状況又は内容を適応させるために多くの修正を行うことができる。例えば、第１の構成にある形状を提供する特定の実施形態は、反転又は回転させることができるであろう。更に、異なる形状の異なる組合せも、本発明の開示の範囲内である。従って、本発明は、この発明を実施するために考えられた最良のモードとして本明細書に開示するある一定の実施形態に限定されないように意図している。
【符号の説明】
【００５７】
４６  前方領域
５０  第１の側部領域
５４  内側空洞壁
５８  外側空洞壁
６２  上部パネル
【図１】
2019503318.tif 000003
【図２】
2019503318.tif 000004
【図３】
2019503318.tif 000005
【図４】
2019503318.tif 000006
【図５】
2019503318.tif 000007
【図６】
2019503318.tif 000008
【図６Ａ】
2019503318.tif 000009
【図６Ｂ】
2019503318.tif 000010
【図６Ｃ】
2019503318.tif 000011
【図６Ｄ】
2019503318.tif 000012
【図７】
2019503318.tif 000013
【図８】
2019503318.tif 000014
【図８Ａ】
2019503318.tif 000015
【図８Ｂ】
2019503318.tif 000016
【図８Ｃ】
2019503318.tif 000017
【図８Ｄ】
2019503318.tif 000018
【図９】
2019503318.tif 000019
【図１０】
2019503318.tif 000020
【図１０Ａ】
2019503318.tif 000021
【図１０Ｂ】
2019503318.tif 000022
【図１０Ｃ】
2019503318.tif 000023
【図１０Ｄ】
2019503318.tif 000024
【図１１】
2019503318.tif 000025
【図１２】
2019503318.tif 000026
【図１３】
2019503318.tif 000027
【図１４】
2019503318.tif 000028
【図１４Ａ】
2019503318.tif 000029
【図１５】
2019503318.tif 000030
【図１６】
2019503318.tif 000031
【国際調査報告】
2019503318.tif 000032
2019503318.tif 000033